(57)【特許請求の範囲】
【請求項１】
自動周波数訂正（ＡＦＣ）を利用した訂正が実施されていない第１のクロック基準を生成する第１のクロックモジュールと、
前記第１のクロック基準を受信するグローバルポジショニングシステム（ＧＰＳ）モジュールと、
前記第１のクロック基準を受信して、ＡＦＣ信号に基づいてＡＦＣを実行して、ＡＦＣを利用した訂正が実施されたシステムクロック基準を生成するシステムフェーズロックループを有するセルラー方式送受信機のための集積回路と、
（ｉ）前記集積回路からデジタルベースバンド信号を受信し、（ｉｉ）受信した前記デジタルベースバンド信号に基づいて前記ＡＦＣ信号を生成し、（ｉｉｉ）生成した前記ＡＦＣ信号を前記集積回路に対して出力する、ベースバンドモジュールと、
前記第１のクロック基準および前記システムクロック基準のうち一方を前記ベースバンドモジュールに選択的に出力するマルチプレクサと
を備えるシステム。
【請求項２】
前記集積回路はさらに、
アナログ無線周波数（ＲＦ）信号を受信して前記デジタルベースバンド信号を出力する受信モジュールと、
デジタルベースバンド信号を受信してアナログ送信ＲＦ信号を出力する送信モジュールと
を有し、
前記受信モジュールは、第６のクロック基準に基づく受信側モジュールクロック基準および前記第６のクロック基準のうち一方を受信するアナログデジタルコンバータおよび受信側デジタルシグナルプロセッサのうち少なくとも一方を含み、
前記送信モジュールは、前記第６のクロック基準に基づく送信側モジュールクロック基準および前記第６のクロック基準のうち一方を受信するデジタルアナログコンバータおよび送信側デジタルシグナルプロセッサのうち少なくとも一方を含む請求項１に記載のシステム。
【請求項３】
前記集積回路は、前記第１のクロックモジュールから前記第１のクロック基準を受信して、前記第１のクロック基準を前記ＧＰＳモジュールに出力する請求項１に記載のシステム。
【請求項４】
前記集積回路はさらに、
前記第１のクロック基準を受信して、前記第１のクロック基準に基づいて第５のクロック基準を生成する受信側フェーズロックループモジュールと、
前記第１のクロック基準を受信して、前記第１のクロック基準に基づいて第３のクロック基準を生成する送信側フェーズロックループモジュールと
を有する請求項１に記載のシステム。
【請求項５】
受信モジュールおよび送信モジュールをさらに備え、
前記受信モジュールは、前記第５のクロック基準を受信する周波数逓降変換器を含み、
前記送信モジュールは、前記第３のクロック基準を受信する周波数逓昇変換器を含む請求項４に記載のシステム。
【請求項６】
前記集積回路は、
受信側ＰＬＬモジュールクロック基準を受信して、前記受信側ＰＬＬモジュールクロック基準に基づいて第５のクロック基準を生成する受信側フェーズロックループモジュールと、
送信側ＰＬＬモジュールクロック基準を受信して、前記送信側ＰＬＬモジュールクロック基準に基づいて第３のクロック基準を生成する送信側フェーズロックループモジュールと
をさらに有する請求項１に記載のシステム。
【請求項７】
受信モジュールおよび送信モジュールをさらに備え、
前記受信モジュールは、前記第５のクロック基準を受信する周波数逓降変換器を含み、
前記送信モジュールは、前記第３のクロック基準を受信する周波数逓昇変換器を含む請求項６に記載のシステム。
【請求項８】
前記ベースバンドモジュールは、第２の集積回路によって実現される請求項１に記載のシステム。
【請求項９】
前記集積回路から前記第１のクロック基準を受信するＢｌｕｅｔｏｏｔｈ（登録商標）モジュールおよびＷｉＦｉモジュールのうち少なくとも一方をさらに備える請求項１に記載のシステム。
【請求項１０】
前記システムフェーズロックループは、
前記第１のクロック基準と第７のクロック基準との間の差分を決定する位相周波数検出器と、
前記位相周波数検出器の出力を受信するチャージポンプと、
前記チャージポンプの出力をフィルタリングするフィルタと、
第６のクロック基準を生成する電圧制御発振器と、
前記第６のクロック基準を受信して、除数に基づき前記第７のクロック基準を出力する分周器と、
複数の連続する期間において、２以上の整数値である前記除数の比率を調整する分数調整モジュールと
を含む請求項１に記載のシステム。
【請求項１１】
前記電圧制御発振器は、リング発振器、弛張発振器、および、ＬＣ発振器のうち１つを含む請求項１０に記載のシステム。
【請求項１２】
前記第１のクロックモジュールは、温度制御された水晶発振器を含む請求項１に記載のシステム。
【請求項１３】
自動周波数訂正（ＡＦＣ）を利用した訂正が実施されていない第１のクロック基準を生成する段階と、
グローバルポジショニングシステム（ＧＰＳ）モジュールにおいて前記第１のクロック基準を受信する段階と、
セルラー方式送受信機のための集積回路において前記第１のクロック基準を受信する段階と、
ＡＦＣを利用した訂正が実施されたシステムクロック基準を生成するべく、前記集積回路を用いてＡＦＣ信号に応じてＡＦＣを実行する段階と、
前記集積回路からベースバンドモジュールにおいてデジタルベースバンド信号を受信する段階と、
受信した前記デジタルベースバンド信号に基づいて、前記ベースバンドモジュールを用いて、前記ＡＦＣ信号を生成する段階と、
前記ベースバンドモジュールから前記集積回路に対して前記ＡＦＣ信号を出力する段階と、
マルチプレクサを用いて、前記集積回路から受信する前記第１のクロック基準および前記システムクロック基準のうち一方を選択的に前記ベースバンドモジュールに出力する段階と
を備える方法。
【請求項１４】
前記第１のクロック基準を前記ＧＰＳモジュールに出力する段階をさらに備える請求項１３に記載の方法。
【請求項１５】
前記第１のクロック基準を受信して、前記第１のクロック基準に基づき受信側フェーズロックループを用いて第５のクロック基準を生成する段階と、
前記第１のクロック基準を受信して、前記第１のクロック基準に基づき送信側フェーズロックループを用いて第３のクロック基準を生成する段階と
をさらに備える請求項１３に記載の方法。
【請求項１６】
周波数逓降変換器で前記第５のクロック基準を受信する段階と、
周波数逓昇変換器で前記第３のクロック基準を受信する段階と
をさらに備える請求項１５に記載の方法。
【請求項１７】
受信側ＰＬＬモジュールクロック基準を受信して、前記受信側ＰＬＬモジュールクロック基準に基づき受信側フェーズロックループを用いて第５のクロック基準を生成する段階と、
送信側ＰＬＬモジュールクロック基準を受信して、前記送信側ＰＬＬモジュールクロック基準に基づき送信側フェーズロックループを用いて第３のクロック基準を生成する段階とをさらに備える請求項１３に記載の方法。
【請求項１８】
周波数逓降変換器で前記第５のクロック基準を受信する段階と、
周波数逓昇変換器で前記第３のクロック基準を受信する段階と
をさらに備える請求項１７に記載の方法。
【発明の詳細な説明】
【技術分野】
【０００１】
本開示は、多機能セルラーアプリケーションに関する。特に、グローバル・ポジショニング・システムを備える多機能セルラーアプリケーションでのクロック基準の生成に関する。
【背景技術】
【０００２】
［関連出願］
本願は、米国特許出願第１２／８２１，５９５号（出願日：２０１０年６月２３日）および米国仮特許出願第６１／２２０，１０２号（出願日：２００９年６月２４日）の恩恵を主張する。両特許文献の開示内容は全て、参照により本願に組み込まれる。
【０００３】
本明細書の「背景技術」の記載内容は、本開示がどのような状況でなされたかを簡潔に説明するために供している。本願の発明者の研究内容は、この「背景技術」セクションに記載されている限りにおいて、記載されていなければ出願時において先行技術とみなされない内容と共に、本開示に対する先行技術と明示的にも暗示的にも認められるものではない。
【０００４】
図１を参照して説明すると、セルラーアプリケーション５０では、セルラー方式送受信モジュール５２およびグローバル・ポジショニング・システム（ＧＰＳ）受信モジュール５４に対応付けられている受信器について正確なクロック基準が必要である。セルラー方式送受信モジュール５２は、電圧制御・温度補償が実現されている水晶振動子（ＶＣ−ＴＣＸＯ）クロックモジュール６０から第１のクロック基準ＣｌｋＩｎＸＣＶＲを受信する。
【０００５】
セルラー方式送受信モジュール５２は、１以上のアンテナ５３を介して、タイミング情報を表す基準トーンまたはその他の信号を含むＲＦ信号を受信する。ＲＦ信号は、ベースバンドに周波数逓降変換される。ベースバンドモジュール６８は、周波数逓降変換された信号を受信して、デジタル自動周波数制御（ＡＦＣ）信号を生成する。セルラー方式送受信モジュール５２は、デジタルＡＦＣ信号を、ＶＣ−ＴＣＸＯクロックモジュール６０へ出力するためにアナログＡＦＣ信号に変換するＤＡＣ６６を有する。ＶＣ−ＴＣＸＯクロックモジュール６０は、アナログＡＦＣ信号に基づいて第１のクロック基準ＣｌｋＩｎＸＣＶＲを訂正する。クロック基準ＣｌｋＩｎＸＣＶＲは、ドップラー効果、温度の影響およびその他の影響を補償するべく調整される。
【０００６】
しかし、ＧＰＳ受信モジュール５４は、ＡＦＣ訂正時にＶＣ−ＴＣＸＯクロックモジュール６０からの第１のクロック基準ＣｌｋＩｎＸＣＶＲで発生するような急峻な周波数変化を許容できないので、第１のクロック基準を利用することができない。このため、ＧＰＳ受信モジュール５４のために第２のクロック基準ＣｌｋＩｎＧＰＳを生成するＴＣＸＯクロックモジュール５８を追加で利用するのが普通である。第２のクロック基準は、ＡＦＣ訂正が実施されない。ＴＣＸＯクロックモジュール５８は、セルラー方式送受信モジュール５２について利用されるＡＦＣ訂正を実施するＶＣ−ＴＣＸＯクロックモジュール６０に追加して、実装される。
【０００７】
図２を参照して説明すると、セルラーアプリケーション７５は、ＧＰＳ受信モジュール７９に第１のクロック基準を供給する第１のクロックモジュール７７を備える。第２のクロックモジュール８２は、セルラー方式送受信モジュール８１のクロック分配モジュール８０に第２のクロック基準を供給する。クロック分配モジュール８０は、内部クロック分配モジュール８６が第２のクロック基準を受信する前に第２のクロック基準をバッファするバッファ８４を含むとしてよい。
【０００８】
受信側フェーズロックループ（ＲｘＰＬＬ）モジュール９４は、クロック分配モジュール８０から第２のクロック基準を受信する。ＲｘＰＬＬモジュール９４は、第２のクロック基準と、分周器１０４が出力する第３のクロック基準との間の位相差を検出する位相周波数検出器（ＰＦＤ）９６を含む。ＰＦＤ９６は、検出した位相差をチャージポンプ９８に出力する。チャージポンプ９８の出力は、ローパスフィルタ（ＬＰＦ）１００によってフィルタリングされて、電圧制御発振器（ＶＣＯ）１０２に出力される。ＶＣＯ１０２は、第４のクロック基準を分周器１０４に出力する。分周器１０４は、１以上の整数値を含む整数群から選択される値で第４のクロック基準を分周して、第３のクロック基準を生成する。
【０００９】
受信モジュール１０９は、無線周波数（ＲＦ）入力を受信および増幅する低ノイズ増幅器（ＬＮＡ）１１０を含む。周波数逓降変換器１１２は、ＲＦ入力信号を周波数逓降変換して、ベースバンド信号を生成する。フィルタ／プログラマブルゲイン増幅器（ＰＧＡ）の複合モジュール１１８では、ベースバンド信号をフィルタリングして増幅する。
【００１０】
アナログデジタルコンバータ（ＡＤＣ）およびデジタルシグナルプロセッサ（ＤＳＰ）の複合モジュール１２４は、ＡＤＣモジュール１２８および受信側ＤＳＰ１３０を含む。ＡＤＣモジュール１２８は、フィルタリングおよび増幅が実行されたベースバンド信号をデジタルベースバンド信号に変換する。受信側ＤＳＰ１３０は、デジタルベースバンド信号にデジタル信号処理を実行する。
【００１１】
受信側ＤＳＰ１３０の出力は、デジタルインターフェースモジュール１３４が受信する。デジタルインターフェースモジュール１３４は、ベースバンドモジュール１３５とセルラー方式送受信モジュール８１との間のインターフェースを提供する。ベースバンドモジュール１３５は、デジタルベースバンド信号に対してベースバンド処理を実行する。ベースバンドモジュール１３５はまた、バッファ１３６を介して、内部クロック分配モジュール８６からシステムクロック（ＳＹＳＣＬＯＣＫ）を受信する。
【００１２】
ベースバンドモジュール１３５は、デジタルベースバンド信号を処理して第２のクロック基準の周波数エラーを回復する自動周波数訂正（ＡＦＣ）モジュール１３７を有する。ＡＦＣモジュール１３７は、この周波数エラーを訂正するためのデジタルＡＦＣ信号を生成する。デジタルＡＦＣ信号は、デジタルインターフェースモジュール１３４を介して、デジタルアナログコンバータ（ＤＡＣ）１４０に出力される。ＤＡＣ１４０は、アナログＡＦＣ信号を生成する。当該アナログＡＦＣ信号は、第２のクロックモジュール８２に対して出力される。第２のクロックモジュール８２は、アナログＡＦＣ信号に基づいて第２のクロック基準を訂正する。
【００１３】
アナログＡＦＣ信号に応じて為される調整によって、第２のクロック基準に急峻な周波数変化または位相変化が発生する場合がある。このように急峻なクロック基準の変化は、セルラー方式送受信モジュール８１では許容され得るが、ＧＰＳ受信モジュール７９では許容され得ない。このため、第１のクロックモジュール７７および第２のクロックモジュール８２の両方が実装される。
【発明の概要】
【課題を解決するための手段】
【００１４】
システムは、自動周波数訂正（ＡＦＣ）を利用した訂正が実施されていない第１のクロック基準を生成する第１のクロックモジュールを備える。グローバルポジショニングシステム（ＧＰＳ）モジュールは、第１のクロック基準を受信する。セルラー方式送受信機のための集積回路は、第１のクロック基準を受信して、ＡＦＣ信号に基づいてＡＦＣを実行して、ＡＦＣを利用した訂正が実施されたシステムクロック基準を生成するシステムフェーズロックループを有する。また、セルラー方式送受信機のための集積回路は、（ｉ）集積回路からデジタルベースバンド信号を受信し、（ｉｉ）受信したデジタルベースバンド信号に基づいてＡＦＣ信号を生成し、（ｉｉｉ）生成したＡＦＣ信号を集積回路に対して出力する、ベースバンドモジュールと、第１のクロック基準およびシステムクロック基準のうち一方をベースバンドモジュールに選択的に出力するマルチプレクサとを有する。
【００１５】
他の特徴としては、集積回路はさらに、アナログ無線周波数（ＲＦ）信号を受信してデジタルベースバンド信号を出力する受信モジュールを有する。受信モジュールは、第２のクロック基準および第２のクロック基準に基づく第３のクロック基準のうち一方を受信するアナログデジタルコンバータおよび受信側デジタルシグナルプロセッサのうち少なくとも一方を含む。送信モジュールは、デジタルベースバンド信号を受信してアナログ送信ＲＦ信号を出力する。送信モジュールは、第２のクロック基準および第２のクロック基準に基づく第４のクロック基準のうち一方を受信するデジタルアナログコンバータおよび送信側デジタルシグナルプロセッサのうち少なくとも一方を含む。
【００１６】
他の特徴としては、集積回路は、第１のクロックモジュールから第１のクロック基準を受信して、第１のクロック基準をＧＰＳモジュールに出力する。集積回路はさらに、第１のクロック基準を受信して、第１のクロック基準に基づいて第３のクロック基準を生成する受信側フェーズロックループモジュールを有する。送信側フェーズロックループモジュールは、第１のクロック基準を受信して、第１のクロック基準に基づいて第４のクロック基準を生成する。
【００１７】
他の特徴としては、受信モジュールはさらに、第３のクロック基準を受信する周波数逓降変換器を含む。送信モジュールはさらに、第４のクロック基準を受信する周波数逓昇変換器を含む。集積回路は、第２のクロック基準を受信して、第２のクロック基準に基づいて第３のクロック基準を生成する受信側フェーズロックループモジュールを有する。送信側フェーズロックループモジュールは、第２のクロック基準を受信して、第２のクロック基準に基づいて第４のクロック基準を生成する。
【００１８】
他の特徴としては、受信モジュールはさらに、第３のクロック基準を受信する周波数逓降変換器を含む。送信モジュールはさらに、第４のクロック基準を受信する周波数逓昇変換器を含む。ベースバンドモジュールは、集積回路からデジタルベースバンド信号を受信してＡＦＣ信号を生成する。ベースバンドモジュールは、第２の集積回路によって実現される。
【００１９】
他の特徴としては、マルチプレクサは、第１のクロック基準および第２のクロック基準のうち一方をベースバンドモジュールに選択的に出力する。Ｂｌｕｅｔｏｏｔｈ（登録商標）モジュールおよびＷｉＦｉモジュールのうち少なくとも一方は、集積回路から第１のクロック基準を受信する。
【００２０】
システムフェーズロックループは、第１のクロック基準と第３のクロック基準との間の差分を決定する位相周波数検出器を含む。チャージポンプは、位相周波数検出器の出力を受信する。フィルタは、チャージポンプの出力をフィルタリングする。電圧制御発振器は、第２のクロック基準を生成する。分周器は、第２のクロック基準を受信して、除数に基づき第３のクロック基準を出力する。分数調整モジュールは、複数の連続する期間において、２以上の整数値である除数の比率を調整する。
【００２１】
他の特徴としては、電圧制御発振器は、リング発振器、弛張発振器、および、ＬＣ発振器のうち１つを含む。第１のクロックモジュールは、温度制御された水晶発振器を含む。
【００２２】
自動周波数訂正（ＡＦＣ）を利用した訂正が実施されていない第１のクロック基準を生成する段階と、グローバルポジショニングシステム（ＧＰＳ）モジュールにおいて第１のクロック基準を受信する段階と、セルラー方式送受信機のための集積回路において第１のクロック基準を受信する段階と、ＡＦＣを利用した訂正が実施されたシステムクロック基準を生成するべく、集積回路を用いてＡＦＣ信号に応じてＡＦＣを実行する段階と、集積回路からベースバンドモジュールにおいてデジタルベースバンド信号を受信する段階と、受信したデジタルベースバンド信号に基づいて、ベースバンドモジュールを用いて、ＡＦＣ信号を生成する段階と、ベースバンドモジュールから集積回路に対してＡＦＣ信号を出力する段階と、マルチプレクサを用いて、集積回路から受信する第１のクロック基準およびシステムクロック基準のうち一方を選択的にベースバンドモジュールに出力する段階とを備える方法を開示する。
【００２３】
本開示内容のその他の利用可能分野は、詳細な説明、請求項および図面から明らかとなるであろう。詳細な説明および具体例は、本開示の範囲を例示することのみを目的としたものであり、本開示の範囲を限定するものではない。
【図面の簡単な説明】
【００２４】
本開示は、詳細な説明および添付図面を参照することによってより完全に理解されたい。添付図面は以下の通りである。
【００２５】
【図１】先行技術に係る、セルラー方式送受信機およびグローバルポジショニングシステムを備えるセルラーアプリケーションを示す簡略機能ブロック図である。
【００２６】
【図２】先行技術に係る、セルラー方式送受信機およびグローバルポジショニングシステムを備えるセルラーアプリケーションを示す詳細機能ブロック図である。
【００２７】
【図３】本開示に係る、セルラー方式送受信機およびグローバルポジショニングシステムを備えるセルラーアプリケーションを示す簡略機能ブロック図である。
【００２８】
【図４】本開示に係る、セルラー方式送受信機およびグローバルポジショニングシステムを備えるセルラーアプリケーションを示す詳細機能ブロック図である。
【００２９】
【図５】本開示に係るシステムフェーズロックループを示す機能ブロック図である。
【００３０】
【図６】スルーレートが可変であるバッファを示す機能ブロック図である。
【００３１】
【図７】本開示に係る、セルラー方式送受信機およびグローバルポジショニングシステムを備える別のセルラーアプリケーションを示す詳細機能ブロック図である。
【００３２】
【図８】本開示に係る別のシステムフェーズロックループを示す機能ブロック図である。
【発明を実施するための形態】
【００３３】
以下に記載する説明は、本質的に説明のためのものに過ぎず、本開示、その用途または利用を限定することを意図したものではない。分かりやすく説明するために、複数の図面にわたって同じ参照番号を用いて同様の構成要素を特定する場合がある。本明細書で用いる場合、「Ａ、ＢおよびＣのうち少なくとも１つ」という記載は、非排他的論理和で論理演算（Ａ  ｏｒ  Ｂ  ｏｒ  Ｃ）を意味するものと解釈されたい。方法を構成する段階は、本開示の原理を変えることなく、順序を変えて実行し得るものと理解されたい。
【００３４】
本明細書で用いる場合、「モジュール」という用語は、特定用途向け集積回路（ＡＳＩＣ）、電子回路、複合論理回路、フィールドプログラマブルゲートアレイ（ＦＰＧＡ）、コードを実行するプロセッサ（共有プロセッサ、専用プロセッサ、または、プロセッサ群）、本明細書で説明する機能を実現するその他の適切な構成要素あるいはシステムオンチップ等、上記の一部または全てを組み合わせたもの、または、これらの一部、または、これらを含むものを意味するとしてよい。「モジュール」という用語は、プロセッサが実行するコードを格納するメモリ（共有メモリ、専用メモリ、または、メモリ群）を含むとしてよい。
【００３５】
「コード」という用語は、上記で用いているように、ソフトウェア、ファームウェアおよび／またはマイクロコードを含むとしてよく、プログラム、ルーチン、関数、クラスおよび／またはオブジェクトを意味するとしてよい。「共有」という用語は、上記で用いているように、複数のモジュールからのコードの一部または全てを、一の（共有）プロセッサを用いて実行することを意味する。また、複数のモジュールからのコードの一部または全てを、一の（共有）メモリに格納するとしてよい。「群」という用語は、上記で用いているように、一のモジュールからのコードの一部または全てをプロセッサ群を用いて実行することを意味する。また、一のモジュールからのコードの一部または全てを、メモリ群を用いて格納するとしてよい。
【００３６】
本明細書に記載する装置および方法は、１以上のプロセッサで実行される１以上のコンピュータプログラムで実現されるとしてよい。コンピュータプログラムは、不揮発性の有形コンピュータ可読媒体に格納されているプロセッサ実行可能命令を含む。コンピュータプログラムはさらに、格納データを含むとしてよい。不揮発性の有形コンピュータ可読媒体の例としては、これらに限定されるものではないが、不揮発性メモリ、磁気ストレージ、および、光ストレージが挙げられる。
【００３７】
本開示に係る多機能セルラー方式装置は、セルラー方式送受信モジュールおよびグローバルポジショニングシステム（ＧＰＳ）受信モジュールを備える。両モジュールは、クロック基準を共有する。クロック基準はさらに、多機能セルラー方式装置の別のモジュールとの間でも共有できる。このため、多機能セルラー方式装置の総コストを削減することができる。
【００３８】
一例に過ぎないが、本開示に係る一の多機能セルラー方式装置は、ＧＰＳ受信器に適切な温度ドリフトを持つ温度補償された水晶振動子（ＴＣＸＯ）クロックモジュールを１つ用いる。ＴＣＸＯクロックモジュールから供給されるクロック基準は、セルラー方式送受信機に入力される。セルラー方式送受信機は、当該クロック基準を内部で利用すると共に、当該クロック基準をバッファおよび出力してＧＰＳ受信器を駆動する。ＴＣＸＯクロックモジュール自体は、自動周波数制御（ＡＦＣ）を実施しない。このため、クロック基準は、ＧＰＳ性能に影響を与えるような、ＡＦＣに起因する急峻な変化が見えることはない。一方、セルラー方式送受信機は、ＡＦＣを実行して、内部で利用されるクロック基準を生成する。
【００３９】
図３を参照して説明すると、多機能セルラー方式装置２００は、ＡＦＣ訂正を実施するセルラー方式送受信モジュール２０４と、グローバルポジショニングシステム（ＧＰＳ）受信モジュール２０８とを備える。クロックモジュール２１６は、セルラー方式送受信モジュール２０４のためのクロック基準ＣｌｋＩｎを生成する。クロックモジュール２１６は、温度補償された水晶振動子（ＴＣＸＯ）を有するとしていが、他の種類のクロックモジュールを用いるとしてもよい。セルラー方式送受信モジュール２０４は、クロック基準をＧＰＳ受信モジュール２０８に出力するバッファ２１０を有する。
【００４０】
セルラー方式送受信モジュール２０４は、受信した信号を周波数逓降変換してベースバンド信号を生成し、ベースバンド信号をベースバンドモジュール２１８に出力する。ベースバンドモジュールは、ベースバンド信号を処理して自動周波数訂正（ＡＦＣ）信号を生成することによって周波数エラーを回復するＡＦＣモジュール２１９を有している。ＡＦＣ信号はこの後、セルラー方式送受信モジュール２０４に送信される。クロックモジュール２１６はさらに、ＡＦＣで訂正されたクロック基準を１以上内部で生成する。これについては以下で説明する。
【００４１】
図４を参照すると、セルラー方式装置２００の実施例を図示する。セルラー方式装置２００は、クロック分配モジュール２５０と、送信側フェーズロックループ（ＴｘＰＬＬ）モジュール２６０、受信側フェーズロックループ（ＲｘＰＬＬ）モジュール２７０、システムフェーズロックループ（ＰＬＬ）モジュール２７５と、受信モジュール２８０と、送信モジュール２９０とを有するセルラー方式送受信モジュール２０４を備える。セルラー方式送受信モジュール２０４はさらに、ベースバンドモジュール２９３とセルラー方式送受信モジュール２０４との間のインターフェースを提供するデジタルインターフェースモジュール２９２を有する。クロック分配モジュール２５０、ＴｘＰＬＬモジュール２６０、ＲｘＰＬＬモジュール２７０、システムＰＬＬモジュール２７５、受信モジュール２８０、送信モジュール２９０、および、デジタルインターフェースモジュール２９２のうち１以上は、第１の集積回路として実現されるとしてよい。
【００４２】
ベースバンドモジュール２９３は、受信したベースバンド信号のデジタル処理に基づいてＡＦＣ信号を生成するＡＦＣモジュール２９４を有する。ベースバンドモジュール２９３は、第２の集積回路として実現されるとしてよい。第２の集積回路は、第１の集積回路とは別個の集積回路であってよい。
【００４３】
クロックモジュール３００は、バッファ３０２を介してクロック基準を内部クロック分配モジュール３０３に送信する。一部の実施例によると、クロックモジュール３００は、温度制御された水晶振動子（ＴＣＸＯ）を含むとしてよい。バッファ３０２の出力もまた、１以上のバッファ３０４−１、３０４−２、・・・、および３０４−Ｔ（バッファ３０４と総称）を介して、他のモジュール３０６−１、３０６−２、・・・、および、３０６−Ｔ（モジュール３０６と総称）へと出力される。一例に過ぎないが、モジュール３０６は、チップ外に設けられるモジュールであってよく、一例に過ぎないが、ＧＰＳモジュール、Ｂｌｕｅｔｏｏｔｈ（ＢＴ）（登録商標）モジュール、無線ローカルエリアネットワーク（例えば、ＷｉＦｉ）モジュール、および／または、その他のモジュールを含むとしてよい。
【００４４】
内部クロック分配モジュール３０３は、ＴｘＰＬＬモジュール２６０の位相周波数検出器（ＰＦＤ）３１０に第１のクロック基準を出力する。ＰＦＤ３１０はさらに、分周器３１４の出力を受信する。ＰＦＤ３１０は、第１のクロック基準と、分周器３１４から出力される第２のクロック基準との間の位相差を検出する。ＰＦＤ３１０は、チャージポンプ３１６に出力される差分信号を生成する。チャージポンプの出力は、ローパスフィルタ（ＬＰＦ）等のフィルタ３２０が受信する。フィルタ３２０の出力は、電圧制御発振器（ＶＣＯ）３２２が受信する。ＶＣＯ３２２が出力する第３のクロック基準は、分周器３１４に出力される。分周器３１４は、整数Ｎまたは分数Ｎの分周器であるとしてよく、ＶＣＯ３２２から受信する第３のクロック基準に基づいて第２のクロック基準を生成する。
【００４５】
内部クロック分配モジュール３０３はさらに、ＲｘＰＬＬモジュール２７０のＰＦＤ３３０に第１のクロック基準を出力する。ＰＦＤ３３０はさらに、分周器３３４が出力する第４のクロック基準を受信する。ＰＦＤ３３０は、第１のクロック基準と、分周器３３４が出力する第４のクロック基準との間の位相差を検出する。ＰＦＤ３３０は、チャージポンプ３３６に出力される差分信号を生成する。チャージポンプ３３６の出力は、フィルタ３４０を通過してＶＣＯ３４２に出力される。フィルタ３４０は、ローパスフィルタであってよい。ＶＣＯ３４２は、第５のクロック基準を分周器３３４に出力する。分周器３３４は、整数Ｎまたは分数Ｎの分周器であるとしてよく、ＶＣＯ３４２から受信する第５のクロック基準に基づいて第４のクロック基準を生成する。
【００４６】
内部クロック分配モジュール３０３はさらに、第１のクロック基準をシステムＰＬＬモジュール２７５に出力する。システムＰＬＬモジュール２７５は、ＡＦＣ訂正が実施された第６のクロック基準を生成する。第６のクロック基準に基づいて、受信モジュール２８０、送信モジュール２９０およびベースバンドモジュール２９３のうち１以上のモジュールのクロック基準が生成される。
【００４７】
受信モジュール２８０は、アンテナ等のソースからＲＦ入力を受信する低ノイズ増幅器（ＬＮＡ）３６０を含む。ＬＮＡ３６０の出力は、信号をベースバンドに周波数逓降変換する周波数逓降変換器３６２に入力される。フィルタ／プログラマブルゲイン増幅器（ＰＧＡ）モジュール３６４は、周波数逓降変換器３６２の出力を受信して、フィルタリングおよびゲイン調整を実行する。フィルタ／ＰＧＡモジュール３６４の出力は、ＲＦ入力をデジタルＲＦ信号を変換するアナログデジタルコンバータ（ＡＤＣ）３６６に入力される。ＡＤＣ３６６の出力は、デジタル信号処理を実行してデジタル受信データをデジタルインターフェースモジュール２９２に出力する受信側デジタルシグナルプロセッサ（ＤＳＰ）３７０に入力される。
【００４８】
送信モジュール２９０は、デジタルインターフェースモジュール２９２からデジタル送信データを受信する。送信側ＤＳＰ３８０は、デジタルインターフェースモジュール２９２から受信したデジタル送信データにデジタル信号処理を実行して、処理されたデジタルデータをデジタルアナログコンバータ３８４に出力する。ＤＡＣ３８４のアナログ出力は、フィルタモジュール３８６に入力される。フィルタモジュール３８６の出力は、信号を周波数逓昇変換してＲＦ信号を生成する周波数逓昇変換器３８８に入力される。周波数逓昇変換器３８８の出力は、増幅を行って増幅されたＲＦ信号をアンテナ（不図示）に出力する電力増幅器３９０に入力される。電力増幅器３９０は、セルラー方式送受信モジュール２０４の外部に配置されるとしてよい。
【００４９】
マルチプレクサ３９４は、バッファ３０２から第１のクロック基準を受信し、システムＰＬＬモジュール２７５からＡＦＣ訂正後のクロック基準ＳＹＳＣＬＫを受信する。マルチプレクサ３９４は、第１のクロック基準およびＡＦＣ訂正後のクロック基準のうち一方を選択して、バッファ３９６に出力する。ベースバンドモジュール２９３は、バッファ３９６から選択されたクロック基準を受信する。
【００５０】
図５を参照すると、図４のシステムＰＬＬモジュール２７５の実施例をより詳細に図示している。システムＰＬＬモジュール２７５は、内部クロック分配モジュール３０３から受信する第１のクロック基準と、分周器４０２から受信する第７のクロック基準との間の位相差を検出するＰＦＤ４００を備える。ＰＦＤ４００は、差分信号をチャージポンプ４０４に出力する。チャージポンプ４０４の出力は、ローパスフィルタ（ＬＰＦ）であるフィルタ４０８でフィルタリングされる。フィルタ４０８の出力は、分周器４０２に戻される第６のクロック基準を生成するＶＣＯ４１０に入力される。さまざまな実施例によると、第６のクロック基準はさらに、システムＰＬＬモジュール２７５からの出力されるとしてよい。
【００５１】
システムＰＬＬモジュール２７５はさらに、分数調整モジュール４２８を備える。分数調整モジュール４２８は、分周器４０２の整数である除数を調整して、フラクショナル周波数を変化させる。一例に過ぎないが、分数調整モジュール４２８は、ＡＦＣ信号に基づき、Ｍ個の連続クロックサイクルに等しい一の繰り返しサイクルの間において、２以上の値から選択して分周器４０２の整数の除数を調整するとしてよい。尚、Ｍは３以上の整数である。一例に過ぎないが、分数調整モジュール４２８は、Ｍ個の連続クロックサイクルの間において、２以上の整数の除数による除算を適宜行うように分周器４０２を切り替えて、分数分周を近似する。図４を再度参照して説明すると、分周器３１４および３３４はさらに、分数調整モジュールを含むとしてよく、ＡＦＣ信号を受信して分周器４０２と同様に動作するとしてもよい。一部の実施例によると、分数調整モジュールは、ＡＦＣを受信して、分周器３１４および３３４の整数の除数を調整するとしてよい。
【００５２】
システムＰＬＬモジュール２７５は、１以上の分周器４３０−１、４３０−２、４３０−３、・・・（分周器４３０と総称）を追加で備えるとしてよい。分周器４３０は、第６のクロック基準を整数分周してＡＦＣ訂正後のクロック基準を追加で供給するとしてよい。一例に過ぎないが、分周器４３０のうち２つは、受信モジュール２８０および送信モジュール２９０のために、ＡＦＣ訂正されたクロック基準ＲｘＣＬＫおよびＴｘＣＬＫをそれぞれ生成するとしてよい。さまざまな実施例によると、第６のクロック基準を、上記に代えて、クロック基準ＲｘＣＬＫ、ＴｘＣＬＫ、および、ＳＹＳＣＬＫのうち１以上として、システムＰＬＬモジュール２７５から出力するとしてもよい。
【００５３】
さまざまな従来の方法を用いて、基板結合、電気結合、磁気結合等に起因して発生する電磁干渉（ＥＭＩ）を低減するとしてよい。一例に過ぎないが、図６を参照して説明すると、複数のバッファのうち１以上を、スルーレート制御が可変であるバッファとして実現するとしてよい。例えば、バッファ３０２が出力するクロック基準は、スルーレート制御が可変であるバッファ３０４−１´に供給されるとしてよい。バッファ３０４−１´のスルーレートは、スルーレート調整信号で調整されるとしてよい。スルーレート調整信号は、外部で、クロック分配モジュール２５０´でローカルに、他のモジュール３０６のうち１以上のモジュール（例えば、図６のＧＰＳ受信モジュール３０６−１´）によって外部で、セルラー方式送受信機の他の構成要素によって、任意のその他の適切な方法で生成されるとしてよい。このようにスルーレートを制御すると、ＥＭＩ、スパー（ｓｐｕｒ）等が低減される傾向がある。特定用途での実施時の詳細な内容に応じてＥＭＩを低減するその他の方法を用いるとしてよい。
【００５４】
図７および図８には、セルラー方式装置２００´の別の実施例を図示する。上述した構成要素との共通点については、「´（ダッシュ）」記号を対応する参照番号に付与して示す。図７において、ＡＦＣ訂正後のクロック基準は、システムＰＬＬモジュール２７５´からＴｘＰＬＬモジュール２６０´およびＲｘＰＬＬモジュール２７０´へと出力される。図８において、ＶＣＯ４１０から出力される第６のクロック基準に他の整数分周を実行するべく、分周器４３０−４および４３０−５を追加で設けるとしてよい。一例に過ぎないが、分周器４３０−４および４３０−５は、ＴｘＰＬＬモジュール２６０´およびＲｘＰＬＬモジュール２７０´のために、クロック基準ＴｘＰＬＬＣＬＫおよびＲｘＰＬＬＣＬＫを生成するとしてよい。
【００５５】
上述したＶＣＯはそれぞれ、リング発振器、弛張発振器、ＬＣ発振器、および／または、任意のその他の適切な発振器として実現されるとしてよい。ＷｉＦｉモジュール３０６−ＴおよびＢＴモジュール３０６−２は、ＩＥＥＥ規格８０２．１１、８０２．１１ａ、８０２．１１ｂ、８０２．１１ｇ、８０２．１１ｈ、８０２．１１ｎ、８０２．１６、８０２．２０、および８０２．１５．１のうち１以上に準拠したモジュールであるとしてよい。
【００５６】
本開示の幅広い教示内容は、さまざまな形態で実施することができる。このため、本開示は具体例を含んでいるが、図面、明細書および請求項を参照することで他の変形例が明らかとなるので、本開示の真の範囲は開示した具体例に限定されるものではない。
なお、本願明細書に記載の実施形態によれば、以下の構成もまた開示される。
［項目１］
自動周波数訂正（ＡＦＣ）を利用した訂正が実施されていない第１のクロック基準を生成する第１のクロックモジュールと、
前記第１のクロック基準を受信するグローバルポジショニングシステム（ＧＰＳ）モジュールと、
前記第１のクロック基準を受信して、ＡＦＣを実行して、ＡＦＣを利用した訂正が実施された第２のクロック基準を生成するシステムフェーズロックループを有するセルラー方式送受信機のための集積回路と
を備えるシステム。
［項目２］
前記集積回路はさらに、
アナログ無線周波数（ＲＦ）信号を受信してデジタルベースバンド信号を出力する受信モジュールと、
デジタルベースバンド信号を受信してアナログ送信ＲＦ信号を出力する送信モジュールと
を有し、
前記受信モジュールは、第２のクロック基準および前記第２のクロック基準に基づく第３のクロック基準のうち一方を受信するアナログデジタルコンバータおよび受信側デジタルシグナルプロセッサのうち少なくとも一方を含み、
前記送信モジュールは、第２のクロック基準および前記第２のクロック基準に基づく第４のクロック基準のうち一方を受信するデジタルアナログコンバータおよび送信側デジタルシグナルプロセッサのうち少なくとも一方を含む項目１に記載のシステム。
［項目３］
前記集積回路は、前記第１のクロックモジュールから前記第１のクロック基準を受信して、前記第１のクロック基準を前記ＧＰＳモジュールに出力する項目１に記載のシステム。
［項目４］
前記集積回路はさらに、
前記第１のクロック基準を受信して、前記第１のクロック基準に基づいて第３のクロック基準を生成する受信側フェーズロックループモジュールと、
前記第１のクロック基準を受信して、前記第１のクロック基準に基づいて第４のクロック基準を生成する送信側フェーズロックループモジュールと
を有する項目１に記載のシステム。
［項目５］
前記受信モジュールはさらに、前記第３のクロック基準を受信する周波数逓降変換器を含み、
前記送信モジュールはさらに、前記第４のクロック基準を受信する周波数逓昇変換器を含む項目４に記載のシステム。
［項目６］
前記集積回路は、
前記第２のクロック基準を受信して、前記第２のクロック基準に基づいて第３のクロック基準を生成する受信側フェーズロックループモジュールと、
前記第２のクロック基準を受信して、前記第２のクロック基準に基づいて第４のクロック基準を生成する送信側フェーズロックループモジュールと
を有する項目１に記載のシステム。
［項目７］
前記受信モジュールはさらに、前記第３のクロック基準を受信する周波数逓降変換器を含み、
前記送信モジュールはさらに、前記第４のクロック基準を受信する周波数逓昇変換器を含む項目６に記載のシステム。
［項目８］
前記集積回路から前記デジタルベースバンド信号を受信してＡＦＣ信号を生成するベースバンドモジュール
をさらに備え、
前記ベースバンドモジュールは、第２の集積回路によって実現される項目１に記載のシステム。
［項目９］
前記第１のクロック基準および前記第２のクロック基準のうち一方を前記ベースバンドモジュールに選択的に出力するマルチプレクサをさらに備える項目８に記載のシステム。
［項目１０］
前記集積回路から前記第１のクロック基準を受信するＢｌｕｅｔｏｏｔｈ（登録商標）モジュールおよびＷｉＦｉモジュールのうち少なくとも一方をさらに備える項目１に記載のシステム。
［項目１１］
前記システムフェーズロックループは、
前記第１のクロック基準と第３のクロック基準との間の差分を決定する位相周波数検出器と、
前記位相周波数検出器の出力を受信するチャージポンプと、
前記チャージポンプの出力をフィルタリングするフィルタと、
前記第２のクロック基準を生成する電圧制御発振器と、
前記第２のクロック基準を受信して、除数に基づき前記第３のクロック基準を出力する分周器と、
複数の連続する期間において、２以上の整数値である前記除数の比率を調整する分数調整モジュールと
を含む項目１に記載のシステム。
［項目１２］
前記電圧制御発振器は、リング発振器、弛張発振器、および、ＬＣ発振器のうち１つを含む項目１１に記載のシステム。
［項目１３］
前記第１のクロックモジュールは、温度制御された水晶発振器を含む項目１に記載のシステム。
［項目１４］
自動周波数訂正（ＡＦＣ）を利用した訂正が実施されていない第１のクロック基準を生成する段階と、
グローバルポジショニングシステム（ＧＰＳ）モジュールにおいて前記第１のクロック基準を受信する段階と、
セルラー方式送受信機のための集積回路において前記第１のクロック基準を受信する段階と、
前記集積回路を用いてＡＦＣを実行して、ＡＦＣを利用した訂正が実施された第２のクロック基準を生成する段階と
を備える方法。
［項目１５］
前記第１のクロック基準を前記ＧＰＳモジュールに出力する段階をさらに備える項目１４に記載の方法。
［項目１６］
前記第１のクロック基準を受信して、前記第１のクロック基準に基づき受信側フェーズロックループを用いて第３のクロック基準を生成する段階と、
前記第１のクロック基準を受信して、前記第１のクロック基準に基づき送信側フェーズロックループを用いて第４のクロック基準を生成する段階と
をさらに備える項目１４に記載の方法。
［項目１７］
周波数逓降変換器で前記第３のクロック基準を受信する段階と、
周波数逓昇変換器で前記第４のクロック基準を受信する段階と
を備える項目１６に記載の方法。
［項目１８］
前記集積回路は、
前記第２のクロック基準を受信して、前記第２のクロック基準に基づき受信側フェーズロックループを用いて第３のクロック基準を生成する段階と、
前記第２のクロック基準を受信して、前記第２のクロック基準に基づき送信側フェーズロックループを用いて第４のクロック基準を生成する段階とを備える項目１４に記載の方法。
［項目１９］
周波数逓降変換器で前記第３のクロック基準を受信する段階と、
周波数逓昇変換器で前記第４のクロック基準を受信する段階と
をさらに備える項目１８に記載の方法。
［項目２０］
前記集積回路からベースバンドモジュールにおいて前記デジタルベースバンド信号を受信して、ＡＦＣ信号を生成する段階をさらに備える項目１４に記載の方法。
［項目２１］
前記集積回路から受信する前記第２のクロック基準および前記第１のクロック基準のうち一方を選択的に前記ベースバンドモジュールに出力する段階をさらに備える項目２０に記載の方法。
【図１】
0005704465.tif 000002
【図２】
0005704465.tif 000003
【図３】
0005704465.tif 000004
【図４】
0005704465.tif 000005
【図５】
0005704465.tif 000006
【図６】
0005704465.tif 000007
【図７】
0005704465.tif 000008
【図８】
0005704465.tif 000009